(57)【要約】【課題】辞書機能を備えた電子装置において、ユーザ所望のテキストに合わせた音声の再生が行えるだけでなく、当該音声再生したテキストをより効率的に学習すること。【解決手段】辞書情報表示画面Ｇに表示させた例文Ｒの文字列をペンタッチすると、当該例文Ｒの音声データが読み出され、ペンタッチされた文字が含まれる単語を始点として発音音声の再生が開始されると共に、発音された文字列を囲んだ輪郭Ｂの表示および単語毎の発音回数に応じた色濃度による背景着色表示Ｃ〜Ｃ’’が行われる。そして、当該例文Ｒの単語毎に記憶管理される発音回数が所定の回数（例えば３回）になると、該当の単語について単語帳データとして登録するか否か［Ｙ／Ｎ］のメッセージ画面Ｍが表示され、［Ｙ］キーの１キー操作で単語帳登録できる。このため、音声再生を所定回数繰り返したユーザにとって重要と思われる単語を自動的に判断して単語帳データに登録できる。【選択図】      図７
2010085727.tif 000002
【特許請求の範囲】
【請求項１】
表示手段と、複数の見出し語と当該各見出し語に対応する辞書情報とを対応付けて記憶する辞書情報記憶手段と、この辞書情報記憶手段により記憶される複数の見出し語のうちユーザ任意の見出し語である単語を単語帳として登録する単語帳登録手段と、この単語帳登録手段により登録された単語のうちユーザ操作に応じて指定された単語を見出し語として当該見出し語に対応付けられた辞書情報を前記辞書情報記憶手段により記憶された辞書情報の中から読み出して前記表示手段により表示させる単語帳データ表示制御手段とを有する辞書機能を備えた電子装置であって、
複数の単語からなる文字列を前記表示手段により表示させる文字列表示制御手段と、
ユーザ操作に応じて任意に指定された前記表示手段による表示の位置を検出する操作位置検出手段と、
この操作位置検出手段により検出された前記表示手段による表示の位置が前記文字列表示制御手段により表示された文字列に含まれる単語の位置であった場合に、当該単語から続く文字列の音声を順次再生する音声再生手段と、
この音声再生手段により所定回数再生された単語を前記単語帳登録手段により単語帳として登録させる単語帳登録制御手段と、
を備えたことを特徴とする辞書機能を備えた電子装置。
【請求項２】
前記音声再生手段により文字列の音声が順次再生されている状態で、前記操作位置検出手段により検出されるユーザ操作に応じた表示の位置が、当該音声再生された文字列の位置である場合には、その音声再生を一時停止する音声再生一時停止手段をさらに備えたことを特徴とする請求項１に記載の辞書機能を備えた電子装置。
【請求項３】
前記音声再生手段により文字列の音声が順次再生されている状態で、前記操作位置検出手段により検出されるユーザ操作に応じた表示の位置が、当該音声再生された文字列の位置で且つ移動された場合には、その移動速度に応じて前記音声再生手段による音声の再生速度を変更する再生速度変更手段をさらに備えたことを特徴とする請求項１または請求項２に記載の辞書機能を備えた電子装置。
【請求項４】
前記音声再生手段により文字列の音声が順次再生されている状態で、前記操作位置検出手段により検出されるユーザ操作に応じた表示の位置が、音声再生された文字列に続く音声未再生の文字列の位置である場合には、その位置の文字列が含まれる単語まで前記音声再生手段により音声を再生させて停止させる再生停止制御手段をさらに備えたことを特徴とする請求項１ないし請求項３の何れか１項に記載の辞書機能を備えた電子装置。
【請求項５】
前記文字列表示制御手段により表示された文字列に含まれる単語を、前記音声再生手段による当該単語の音声再生回数に応じて識別表示させる識別表示制御手段をさらに備えたことを特徴とする請求項１ないし請求項４の何れか１項に記載の辞書機能を備えた電子装置。
【請求項６】
前記文字列表示制御手段により表示される複数の単語からなる文字列は、前記辞書情報記憶手段により記憶された辞書情報の中からユーザ任意の見出し語に対応して読み出された辞書情報であることを特徴とする請求項１ないし請求項５の何れか１項に記載の辞書機能を備えた電子装置。
【請求項７】
表示手段と、複数の見出し語と当該各見出し語に対応する辞書情報とを対応付けて記憶する辞書情報記憶手段と、音声出力手段とを備えた電子装置のコンピュータを制御するためのプログラムであって、
前記コンピュータを、
前記辞書情報記憶手段により記憶される複数の見出し語のうちユーザ任意の見出し語である単語を単語帳として登録する単語帳登録手段、
この単語帳登録手段により登録された単語のうちユーザ操作に応じて指定された単語を見出し語として当該見出し語に対応付けられた辞書情報を前記辞書情報記憶手段により記憶された辞書情報の中から読み出して前記表示手段により表示させる単語帳データ表示制御手段、
複数の単語からなる文字列を前記表示手段により表示させる文字列表示制御手段、
ユーザ操作に応じて任意に指定された前記表示手段による表示の位置を検出する操作位置検出手段、
この操作位置検出手段により検出された前記表示手段による表示の位置が前記文字列表示制御手段により表示された文字列に含まれる単語の位置であった場合に、当該単語から続く文字列の音声を前記音声再生手段により順次再生させる音声再生制御手段、
この音声再生制御手段により所定回数再生された単語を前記単語帳登録手段により単語帳として登録させる単語帳登録制御手段、
として機能させるようにしたコンピュータ読み込み可能なプログラム。
【発明の詳細な説明】
【技術分野】
【０００１】
本発明は、表示された辞書情報の発音音声を出力することが可能な辞書機能を備えた電子装置およびプログラムに関する。
【背景技術】
【０００２】
従来から、電子辞書装置には発音音声を出力する機能が搭載されたものがある。この音声出力機能により、例えば辞書検索されて選択表示させた単語や例文などの発音音声データを再生し、目と耳で学習することができる。
【０００３】
また、英会話教材などのテキストを読み上げる発音音声データをその再生時間と対応付けて予め記憶させておき、ユーザが当該テキストの任意の位置を指定すると、指定されたテキストの位置と対応付けられた発音音声データの再生時間から当該発音音声データを再生させることができるテキスト同期音声再生制御装置が考えられている（例えば、特許文献１参照。）。
【特許文献１】特開２００５−１８９４５４号公報
【発明の開示】
【発明が解決しようとする課題】
【０００４】
前記従来の発音音声データを再生可能な電子装置によれば、ユーザにより選択的に表示させたテキストと共に、当該テキストを読み上げる発音音声データを再生させて、その場で目と耳とによってリアルな学習ができるものの、このユーザ所望のテキストに同期した音声再生機能を利用して、さらなる学習効率の向上が可能になる技術の開発が望まれる。
【０００５】
本発明は、このような課題に鑑みなされたもので、ユーザ所望のテキストに合わせた音声の再生が行えるだけでなく、当該音声再生したテキストをより効率的に学習することが可能になる辞書機能を備えた電子装置およびプログラムを提供することを目的とする。
【課題を解決するための手段】
【０００６】
請求項１に記載の辞書機能を備えた電子装置は、表示手段と、複数の見出し語と当該各見出し語に対応する辞書情報とを対応付けて記憶する辞書情報記憶手段と、この辞書情報記憶手段により記憶される複数の見出し語のうちユーザ任意の見出し語である単語を単語帳として登録する単語帳登録手段と、この単語帳登録手段により登録された単語のうちユーザ操作に応じて指定された単語を見出し語として当該見出し語に対応付けられた辞書情報を前記辞書情報記憶手段により記憶された辞書情報の中から読み出して前記表示手段により表示させる単語帳データ表示制御手段とを有する辞書機能を備えた電子装置であって、複数の単語からなる文字列を前記表示手段により表示させる文字列表示制御手段と、ユーザ操作に応じて任意に指定された前記表示手段による表示の位置を検出する操作位置検出手段と、この操作位置検出手段により検出された前記表示手段による表示の位置が前記文字列表示制御手段により表示された文字列に含まれる単語の位置であった場合に、当該単語から続く文字列の音声を順次再生する音声再生手段と、この音声再生手段により所定回数再生された単語を前記単語帳登録手段により単語帳として登録させる単語帳登録制御手段と、を備えたことを特徴としている。
【０００７】
請求項２に記載の辞書機能を備えた電子装置は、前記請求項１に記載の辞書機能を備えた電子装置において、前記音声再生手段により文字列の音声が順次再生されている状態で、前記操作位置検出手段により検出されるユーザ操作に応じた表示の位置が、当該音声再生された文字列の位置である場合には、その音声再生を一時停止する音声再生一時停止手段をさらに備えたことを特徴としている。
【０００８】
請求項３に記載の辞書機能を備えた電子装置は、前記請求項１または請求項２に記載の辞書機能を備えた電子装置において、前記音声再生手段により文字列の音声が順次再生されている状態で、前記操作位置検出手段により検出されるユーザ操作に応じた表示の位置が、当該音声再生された文字列の位置で且つ移動された場合には、その移動速度に応じて前記音声再生手段による音声の再生速度を変更する再生速度変更手段をさらに備えたことを特徴としている。
【０００９】
請求項４に記載の辞書機能を備えた電子装置は、前記請求項１ないし請求項３の何れか１項に記載の辞書機能を備えた電子装置において、前記音声再生手段により文字列の音声が順次再生されている状態で、前記操作位置検出手段により検出されるユーザ操作に応じた表示の位置が、音声再生された文字列に続く音声未再生の文字列の位置である場合には、その位置の文字列が含まれる単語まで前記音声再生手段により音声を再生させて停止させる再生停止制御手段をさらに備えたことを特徴としている。
【００１０】
請求項５に記載の辞書機能を備えた電子装置は、前記請求項１ないし請求項４の何れか１項に記載の辞書機能を備えた電子装置において、前記文字列表示制御手段により表示された文字列に含まれる単語を、前記音声再生手段による当該単語の音声再生回数に応じて識別表示させる識別表示制御手段をさらに備えたことを特徴としている。
【００１１】
請求項６に記載の辞書機能を備えた電子装置は、前記請求項１ないし請求項５の何れか１項に記載の辞書機能を備えた電子装置において、前記文字列表示制御手段により表示される複数の単語からなる文字列は、前記辞書情報記憶手段により記憶された辞書情報の中からユーザ任意の見出し語に対応して読み出された辞書情報であることを特徴としている。
【００１２】
請求項７に記載のプログラムは、表示手段と、複数の見出し語と当該各見出し語に対応する辞書情報とを対応付けて記憶する辞書情報記憶手段と、音声出力手段とを備えた電子装置のコンピュータを制御するためのプログラムであって、前記コンピュータを、前記辞書情報記憶手段により記憶される複数の見出し語のうちユーザ任意の見出し語である単語を単語帳として登録する単語帳登録手段、この単語帳登録手段により登録された単語のうちユーザ操作に応じて指定された単語を見出し語として当該見出し語に対応付けられた辞書情報を前記辞書情報記憶手段により記憶された辞書情報の中から読み出して前記表示手段により表示させる単語帳データ表示制御手段、複数の単語からなる文字列を前記表示手段により表示させる文字列表示制御手段、ユーザ操作に応じて任意に指定された前記表示手段による表示の位置を検出する操作位置検出手段、この操作位置検出手段により検出された前記表示手段による表示の位置が前記文字列表示制御手段により表示された文字列に含まれる単語の位置であった場合に、当該単語から続く文字列の音声を前記音声再生手段により順次再生させる音声再生制御手段、この音声再生制御手段により所定回数再生された単語を前記単語帳登録手段により単語帳として登録させる単語帳登録制御手段、として機能させることを特徴としている。
【発明の効果】
【００１３】
本発明によれば、ユーザ所望のテキストに合わせた音声の再生が行えるだけでなく、当該音声再生したテキストをより効率的に学習することが可能になる辞書機能を備えた電子装置およびプログラムを提供できる。
【発明を実施するための最良の形態】
【００１４】
以下図面により本発明の実施の形態について説明する。
【００１５】
図１は、本発明の辞書機能を備えた電子装置の実施形態に係る電子辞書装置１０の電子回路の構成を示すブロック図である。
【００１６】
この辞書機能を備えた電子装置は、以下に説明する電子辞書専用の携帯機器（電子辞書装置１０）として構成されるか、辞書機能を備えたＰＤＡ(personal digital assistants)、ＰＣ(personal computer)、携帯電話、電子ブック、携帯ゲーム機などとして構成される。
【００１７】
この電子辞書装置１０は、各種の記憶媒体に記録されたプログラム、又は、伝送されたプログラムを読み込んで、その読み込んだプログラムによって動作が制御されるコンピュータによって構成され、その電子回路には、ＣＰＵ(central processing unit)１１が備えられる。
【００１８】
ＣＰＵ１１は、主記憶領域（フラッシュメモリ）１２内に予め記憶された装置制御プログラム、あるいはＲＯＭカードなどの外部記憶媒体１３から記憶媒体読み書き部１４を介して前記主記憶領域１２に読み込まれた装置制御プログラム、あるいはインターネットＮ上のＷｅｂサーバ（この場合はプログラムサーバ）２０から通信制御部１５を介して前記主記憶領域１２に読み込まれた装置制御プログラムに応じて、作業領域（ＲＡＭ）１６に各種の作業データを格納し回路各部の動作を制御する。
【００１９】
前記主記憶領域１２に記憶された装置制御プログラムは、入力部１７からのユーザ操作に応じた入力信号、あるいは通信制御部１５を介して接続されるインターネットＮ上の各Ｗｅｂサーバ２０…との通信信号、あるいは記憶媒体読み書き部１４を介して外部接続されるＥＥＰＲＯＭ，ＲＡＭ，ＲＯＭなどのメモリ・カード（記憶媒体）１３との接続通信信号に応じて起動される。
【００２０】
前記ＣＰＵ１１には、前記主記憶領域１２、記憶媒体読み書き部１４、通信制御部１５、作業領域１６、入力部１７が接続される他に、表示部１８、音声出力部１９などが接続される。
【００２１】
主記憶領域１２に記憶される装置制御プログラムとしては、当該電子辞書装置１０の全体の動作を司るシステムプログラムや通信制御部１５を介してインターネットＮ上の各Ｗｅｂサーバ２０…や図示しないユーザＰＣ(Personal Computer)などとデータ通信するための通信プログラムが記憶される他に、検索文字列のキー入力に応じた見出し語検索処理や選択見出し語に対応した各種辞書情報（訳語・意味内容・例文（用例）など）の読み出し表示処理、選択表示された辞書情報の発音音声出力処理など、同主記憶領域１２内に記憶された辞書データベース１２ｂに基づく処理全般を制御するための各種処理プログラム１２ａが記憶される。
【００２２】
前記辞書データベース１２ｂが有する複数種類の辞書コンテンツ１２ｂ１，１２ｂ２，…としては、「英和辞典」「和英辞典」「国語辞典」「漢字辞典」「四字熟語辞典」「百科事典」など、種類の異なる辞書データが予め、あるいはダウンロードされて複数辞書記憶される。
【００２３】
各辞書コンテンツ１２ｂ１，１２ｂ２，…は、それぞれの言語に応じた所定の順番で配列された見出し語ＷＯ、各見出し語ＷＯに対応付けられた当該見出し語の訳語・意味内容・例文（用例）などの辞書情報ＤＩ、辞書情報ＤＩ内の例文（用例）に対応した読み上げ音声である例文音声データＳＯ、前記例文の単語単位でその例文音声データＳＯの再生時間を対応付けた例文音声時間−単語対応情報テーブルＳＴ（図２参照）、前記例文を表示させた場合のその表示画面における単語単位の表示範囲情報ＨＷなどを有する。
【００２４】
図２は、前記電子辞書装置１０の辞書コンテンツ１２ｂｎが有する例文音声時間−単語対応情報テーブルＳＴの具体例を示す図である。
【００２５】
前記主記憶領域１２には、前記例文音声データＳＯの再生に伴う単語毎の発音回数に応じた当該単語の表示範囲（ＨＷ）での背景表示の濃さ情報１２ｃ、ユーザ操作に応じて重要とされた単語が登録される単語帳データ１２ｄ、及び各種の表示制御プログラム１２ｅも記憶される。
【００２６】
各種表示制御プログラム１２ｅとしては、文字列表示制御プログラム１２ｅ１、輪郭表示制御プログラム１２ｅ２、濃さ表示制御プログラム１２ｅ３、単語帳表示制御プログラム１２ｅ４が組み込まれる。
【００２７】
文字列表示制御プログラム１２ｅ１は、前記見出し語検索処理や各種辞書情報の読み出し表示処理に従った「見出し語」ＷＯや「辞書情報」ＤＩの表示、ならびに外部から取り込んだテキストデータの表示を制御する。
【００２８】
輪郭表示制御プログラム１２ｅ２は、前記文字列表示制御プログラム１２ｅ１によって「見出し語」ＷＯや「辞書情報」ＤＩなどのテキストデータが表示された状態での当該テキストの音声データ（ＳＯ）の再生に伴い、その音声データ（ＳＯ）が再生されたところのテキストを順次、輪郭Ｂ（図４参照）で囲んで表示制御する。
【００２９】
濃さ表示制御プログラム１２ｅ３は、前記文字列表示制御プログラム１２ｅ１によって「見出し語」ＷＯや「辞書情報」ＤＩなどのテキストデータが表示された際に、当該テキストの音声データ（ＳＯ）の再生による単語毎の発音回数に応じた前記背景表示の濃さ情報１２ｃに従い、当該各単語の表示範囲（ＨＷ）の背景色濃度を制御する。
【００３０】
単語帳表示制御プログラム１２ｅ４は、前記単語帳データ１２ｄに登録された単語を一覧表示し、ユーザ任意の単語が選択された際に、当該単語を「見出し語」ＷＯとする「辞書情報」ＤＩを前記辞書データベース１２ｂから読み出して表示制御する。
【００３１】
作業領域１６は、表示部１８の表示画面に対応した表示データの記憶領域、入力部１７によりユーザ入力された文字・数字・記号などの入力データの記憶領域、辞書検索処理された「見出し語」ＷＯや「辞書情報」ＤＩの記憶領域など、前記各種のプログラム１２ａ，１２ｅに従いＣＰＵ１１に入出力される種々のデータが必要に応じて記憶される種々の記憶領域を有する。
【００３２】
そして、前記作業領域１６には、表示中のテキストにおける音声データ（ＳＯ）の再生に伴う単語毎の発音回数が記憶される単語毎発音回数メモリ１６ａ、前記音声データ（ＳＯ）が再生されるテキスト中の単語について当該単語を前記単語帳データ１２ｄに自動登録するための判断基準となる発音回数が設定される単語帳登録発音回数設定メモリ１６ｂ、表示中のテキストに対応する音声データ（ＳＯ）の再生速度、つまり発音速度がユーザ操作に応じて可変設定される発音速度設定メモリ１６ｃなどが備えられる。
【００３３】
入力部１７には、辞書コンテンツキー１７ａ、文字入力キー１７ｂ、訳／決定キー１７ｃ、音声キー１７ｄ、表示部１８の表示画面に重ねて設けられる透明タッチパネル１７ｅなどが備えられる。
【００３４】
次に、前記構成の電子辞書装置１０による発音音声再生モードでの辞書情報表示機能について説明する。
【００３５】
図３は、前記電子辞書装置１０の発音音声再生モード処理を示すフローチャートである。
【００３６】
図４は、前記電子辞書装置１０の発音音声再生モード処理に伴うユーザ操作に対応した辞書情報の表示動作（その１）を示す図である。
【００３７】
図５は、前記電子辞書装置１０の発音音声再生モード処理に伴うユーザ操作に対応した辞書情報の表示動作（その２）を示す図である。
【００３８】
図６は、前記電子辞書装置１０の発音音声再生モード処理に伴うユーザ操作に対応した辞書情報の表示動作（その３）を示す図である。
【００３９】
図７は、前記電子辞書装置１０の発音音声再生モード処理に伴うユーザ操作に対応した辞書情報の表示動作（その４）を示す図である。
【００４０】
例えば図４（Ａ）に示すように、辞書コンテンツキー１７ａにより英和辞典の辞書コンテンツ１２ｂ１を選択し見出し語「touch」ＷＯを検索すると共に、その辞書情報ＤＩに含まれる例文Ｒ「The seek bar is operated with the touch pen.」を辞書情報表示画面Ｇとして表示部１８に表示させる。
【００４１】
ここで、前記例文Ｒの発音音声を再生させて学習するために、音声キー１７ｄが操作されると、発音音声再生モードに設定されて図３における処理が開始される。
【００４２】
先ず、図４（Ｂ）に示すように、辞書情報表示画面Ｇに表示された例文Ｒの先頭の単語「The」がタッチペンＰによりタッチされると（ステップＳ１（ＹＥＳ））、この例文Ｒ「The … pen.」に対応付けられた例文音声データＳＯが読み出される。そして、当該タッチされた単語「The」を開始点として、前記図２で示したような例文音声時間−単語対応情報テーブルＳＴの再生設定時間に従い、その発音音声が音声出力部１９により順次再生される（ステップＳ２）。
【００４３】
この際、前記発音開始点として設定された単語「The」からその発音音声の再生に伴い、当該発音された単語の文字列を順次囲んで示す輪郭Ｂが表示される（ステップＳ３）。
【００４４】
また、単語毎発音回数メモリ１６ａにて記憶管理される前記発音音声が再生された単語の発音回数が［１］追加加算され、その発音回数に応じて設定された背景表示の濃さ情報１２ｃに従い、当該発音された単語の前記輪郭Ｒにより囲まれた背景が着色表示Ｃされる（ステップＳ４）。
【００４５】
本実施形態において、発音回数（１６ａ）が１回である単語に対応した背景表示の濃さ情報１２ｃに従った低濃度の着色表示をＣ、発音回数（１６ａ）が２回である単語に対応した背景表示の濃さ情報１２ｃに従った中濃度の着色表示をＣ’、発音回数（１６ａ）が３回である単語に対応した背景表示の濃さ情報１２ｃに従った高濃度の着色表示をＣ’’として説明する。
【００４６】
こうして、前記辞書情報表示画面Ｇに表示された例文Ｒの発音音声が順次再生されるのに伴い、当該例文Ｒの文字列が順次輪郭Ｂで囲み表示されると共に、単語毎の発音回数に応じた色濃度でその背景が着色表示Ｃされて行く。この状態で、図４（Ｃ）に示すように、例えば例文Ｒの単語「bar」が発音されている段階で未発音の単語「operated」の文字がペンタッチされると（ステップＳ５（ＹＥＳ））、前記例文音声時間−単語対応情報テーブルＳＴ（図２参照）に従い、当該タッチされた文字を含む単語「operated」までその発音音声が再生され一時停止される（ステップＳ６）。
【００４７】
この一時停止の状態において、図５（Ａ）に示すように、発音音声が再生された文字列の輪郭Ｂ内がペンタッチされると（ステップＳ７（ＹＥＳ））、その一時停止が解除されて続く未発音の単語「with」からの発音音声の再生が再開される（ステップＳ８）。
【００４８】
ここで、図５（Ｂ）に示すように、発音音声が再生されている文字列の輪郭Ｂ内がペンタッチされると共にその右方向、つまり当該文字列の発音音声が再生されて行く方向に輪郭Ｂ内がドラッグ操作Ｘされると（ステップＳ９（ＹＥＳ））、このドラッグ操作Ｘの移動速度に応じて、前記例文音声時間−単語対応情報テーブルＳＴ（図２参照）に従った発音音声の再生速度が変更され発音速度設定メモリ１６ｃに設定される（ステップＳ１０）。この発音音声再生速度の変更は、前記輪郭Ｂ内のドラッグ操作Ｘの移動速度を、予め設定された速度閾値と比較して、当該ドラッグ操作Ｘの移動速度が大きいほど発音音声の再生速度も大きく変更され、またドラッグ操作Ｘの移動速度が小さいほど発音音声の再生速度も小さく変更される。
【００４９】
この後、前記例文Ｒ「The seek bar is operated with the touch pen.」の文字列の最後までその発音音声（例文音声データＳＯ）が再生されると（ステップＳ１１（ＹＥＳ））、図５（Ｃ）に示すように、各単語毎の発音回数に応じた背景の着色表示Ｃはそのままに、発音音声再生に伴う輪郭Ｂの表示が消去され、当該音声再生処理が停止される（ステップＳ１２）。
【００５０】
こうして、前記例文Ｒ「The seek bar is operated with the touch pen.」に対応する発音音声の再生が停止された後に、例えば図６（Ａ）に示すように、「seek」の文字がペンタッチされると（ステップＳ１（ＹＥＳ））、当該タッチされた文字を含む単語「seek」を始点として発音音声（例文音声データＳＯ）の再生が開始される（ステップＳ２）。そして、この発音音声の再生に伴う文字列を囲んだ輪郭Ｂの表示処理と、発音された単語毎の発音回数の追加加算処理、当該発音回数に応じた色濃度による背景の着色表示Ｃ〜Ｃ’’も開始される（ステップＳ３，Ｓ４）。
【００５１】
ここで、例えば今回発音音声の再生を開始した前記例文Ｒの単語「seek」のみが発音された時点で、図６（Ｂ）に示すように、当該「seek」の文字が再びペンタッチされると、輪郭Ｂ内のペンタッチと判断され（ステップＳ７（ＹＥＳ））、今回の発音音声の再生が一時停止される（ステップＳ８）。
【００５２】
この際、図６（Ｂ）で示したように、今回発音された単語「seek」の発音回数（１６ａ）は２回になるので、当該単語「seek」の背景部分のみ中濃度での着色表示Ｃ’になる。
【００５３】
そして、図６（Ｃ）に示すように、前記辞書情報表示画面Ｇにおける文字列以外の位置がペンタッチされると（ステップＳ１３（ＹＥＳ））、各単語毎の発音回数に応じた背景の着色表示Ｃ，Ｃ’はそのままに輪郭Ｂの表示が消去され、当該音声再生処理が停止される（ステップＳ１２）。
【００５４】
この後、例えば図７（Ａ）に示すように、「seek」の文字が再びペンタッチされると（ステップＳ１（ＹＥＳ））、前記同様に、当該タッチされた文字を含む単語「seek」を始点とした発音音声（例文音声データＳＯ）の再生が開始される（ステップＳ２）。そして、この発音音声の再生に伴う文字列を囲んだ輪郭Ｂの表示処理と、発音された単語毎の発音回数の追加加算処理、当該発音回数に応じた色濃度による背景の着色表示Ｃ〜Ｃ’’も開始される（ステップＳ３，Ｓ４）。
【００５５】
この際、図７（Ｂ）に示すように、今回発音された単語「seek」の発音回数（１６ａ）は３回になるので、当該単語「seek」の背景部分のみ高濃度での着色表示Ｃ’’になる。
【００５６】
ここで、前記例文Ｒについて、今回発音された単語「seek」の発音回数（１６ａ）が３回となり、単語帳登録発音回数設定メモリ１６ｂに予め設定された所定の回数「３」に到達したと判断されると（ステップＳ１４（ＹＥＳ））、当該単語「seek」について単語帳登録するか否かの選択［Ｙ／Ｎ］をユーザに促す単語帳登録メッセージ画面Ｍがウインドウ表示される（ステップＳ１５）。
【００５７】
この単語帳登録メッセージ画面Ｍにおいて、ユーザにより入力部１７の［Ｙ］キーが操作されると（ステップＳ１６（ＹＥＳ））、登録対象とされた単語「seek」が単語帳データ１２ｄに登録される（ステップＳ１７）。
【００５８】
すると、前記単語帳登録された単語「seek」の次の単語「bar」が始点とされ（ステップＳ１８）、その発音音声（例文音声データＳＯ）の再生が開始される（ステップＳ３）。そして、この発音音声の再生に伴う文字列を囲んだ輪郭Ｂの表示処理と、発音された単語毎の発音回数の追加加算処理、当該発音回数に応じた色濃度による背景の着色表示Ｃ〜Ｃ’’も開始される（ステップＳ４）。
【００５９】
この後、前記例文Ｒの文字列の最後「…pen.」までその発音音声（例文音声データＳＯ）が再生されると（ステップＳ１１（ＹＥＳ））、図７（Ｃ）に示すように、各単語毎の発音回数に応じた背景の着色表示Ｃ〜Ｃ’’はそのままに、発音音声再生に伴う輪郭Ｂの表示が消去され、当該音声再生処理が停止される（ステップＳ１２）。
【００６０】
この場合、同図７（Ｃ）で示したように、前記発音音声の再生を行った例文Ｒ「The seek bar is operated with the touch pen.」うち、先頭の単語「The」の発音回数（１６ａ）は１回になるので、当該単語「The」の背景部分は低濃度での着色表示Ｃになり、また次の単語「seek」の発音回数（１６ａ）は３回になるので、当該単語「seek」の背景部分は高濃度での着色表示Ｃ’’になり、さらに次の各単語「bar is operated with the touch pen.」の発音回数（１６ａ）は何れも２回になるので、当該各単語の背景部分は中濃度での着色表示Ｃ’になる。
【００６１】
したがって、前記構成の電子辞書装置１０による発音音声再生モードでの辞書情報表示機能によれば、辞書情報表示画面Ｇに表示させた例文Ｒの文字列をペンタッチすると、当該例文Ｒの音声データＳＯが読み出され、ペンタッチされた文字が含まれる単語を始点として発音音声の再生が開始されると共に、発音された文字列を囲んだ輪郭Ｂの表示および単語毎の発音回数に応じた色濃度による背景着色表示Ｃ〜Ｃ’’が行われる。そして、当該例文Ｒの単語毎に記憶管理される発音回数（１６ｂ）が所定の回数（例えば３回）になると、該当の単語について単語帳データ１２ｄとして登録するか否か［Ｙ／Ｎ］のメッセージ画面Ｍが表示され、［Ｙ］キーの１キー操作で単語帳登録できる。このため、前記例文Ｒに合わせた読み上げ音声の再生がユーザ任意の単語から自在に行えるだけでなく、当該音声再生を所定回数繰り返したユーザにとって重要と思われる単語を自動的に判断して単語帳データ１２ｄに登録することができ、当該単語帳データ１２ｄを開くことによってもより効率的に学習することが可能になる。
【００６２】
また、前記構成の電子辞書装置１０による発音音声再生モードでの辞書情報表示機能によれば、前記例文Ｒの音声データＳＯの再生中において、当該再生された単語の範囲を囲んで示す輪郭Ｂ内がペンタッチされると、その音声再生は一時停止され、続いて同輪郭Ｂ内が再びペンタッチされると、一時停止されている音声再生が再開されるので、発音音声の再生を自在に停止／再開させて効率的に学習することが可能になる。
【００６３】
また、前記構成の電子辞書装置１０による発音音声再生モードでの辞書情報表示機能によれば、前記例文Ｒの音声データＳＯの再生中において、当該再生された単語の範囲を囲んで示す輪郭Ｂ内がペンタッチされてドラッグされると、そのドラッグ速度の大小に応じて音声再生の速度も大小変更設定（１６ｂ）されて再生されるので、この発音音声の再生速度をユーザが聞き易い速度に適宜変化させて効率的に学習することが可能になる。
【００６４】
また、前記構成の電子辞書装置１０による発音音声再生モードでの辞書情報表示機能によれば、前記例文Ｒの音声データＳＯの再生中において、未だ輪郭Ｂに囲まれていない未発音部分の文字列がペンタッチされると、当該ペンタッチされた文字が含まれる単語までその発音音声が再生されて停止されるので、ある例文Ｒの中でもその発音音声の再生範囲をユーザが適宜区切って効率的に学習することが可能になる。
【００６５】
さらに、前記構成の電子辞書装置１０による発音音声再生モードでの辞書情報表示機能によれば、前記例文Ｒの発音音声の再生において、音声再生された例文Ｒは、その単語毎に発音された回数が発音回数メモリ１６ａに記憶され、当該例文Ｒの各単語はその発音回数に応じた色濃度により背景部分が着色表示Ｃ〜Ｃ’’されて識別表示されるので、ユーザが過去に発音学習した例文Ｒについてその単語毎の学習度を認識して効率的に学習することが可能になる。
【００６６】
なお、前記実施形態では、発音音声の再生対象が辞書情報ＤＩに含まれる例文Ｒである場合について説明したが、外部記憶媒体１３から読み込まれた各種のテキストやネットワークＮ上のＷｅｂサーバ２０からダウンロードされた各種のテキストであっても、例えば当該テキストに合わせた合成音声の生成により、前記同様の読み上げ音声再生処理およびテキスト表示処理を行わせることが可能である。
【００６７】
前記実施形態において記載した電子辞書装置１０による各処理の手法、すなわち、図３のフローチャートに示す発音音声再生モード処理での各手法は、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体１３に格納して配布することができる。そして、辞書データベース１２ｂおよび音声出力部１９を有する電子装置（１０）のコンピュータは、この外部記憶媒体１３に記憶されたプログラムを記憶装置１２に読み込み、この読み込んだプログラムによって動作が制御されることにより、前記実施形態において説明した発音音声再生モードでの辞書情報表示機能を実現し、前述した手法による同様の処理を実行することができる。
【００６８】
また、前記各手法を実現するためのプログラムのデータは、プログラムコードの形態としてネットワークＮ上を伝送させることができ、このプログラムデータを、ネットワークＮに接続された辞書データベース１２ｂおよび音声出力部１９を有する電子装置（１０）のコンピュータに通信制御部１５によって取り込むことで、前述した発音音声再生モードでの辞書情報表示機能を実現することもできる。
【００６９】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００７０】
【図１】本発明の辞書機能を備えた電子装置の実施形態に係る電子辞書装置１０の電子回路の構成を示すブロック図。
【図２】前記電子辞書装置１０の辞書コンテンツ１２ｂｎが有する例文音声時間−単語対応情報テーブルＳＴの具体例を示す図。
【図３】前記電子辞書装置１０の発音音声再生モード処理を示すフローチャート。
【図４】前記電子辞書装置１０の発音音声再生モード処理に伴うユーザ操作に対応した辞書情報の表示動作（その１）を示す図。
【図５】前記電子辞書装置１０の発音音声再生モード処理に伴うユーザ操作に対応した辞書情報の表示動作（その２）を示す図。
【図６】前記電子辞書装置１０の発音音声再生モード処理に伴うユーザ操作に対応した辞書情報の表示動作（その３）を示す図。
【図７】前記電子辞書装置１０の発音音声再生モード処理に伴うユーザ操作に対応した辞書情報の表示動作（その４）を示す図。
【符号の説明】
【００７１】
１０  …電子辞書装置
１１  …ＣＰＵ
１２  …主記憶領域
１２ａ…各種処理プログラム
１２ｂ…辞書データベース
１２ｂｎ…辞書コンテンツ
ＷＯ  …見出し語
ＤＩ  …辞書情報
ＳＯ  …例文音声データ
ＳＴ  …例文音声時間−単語対応情報テーブル
ＨＷ  …単語の表示範囲情報
１２ｃ…単語背景濃さ情報
１２ｄ…単語帳データ
１２ｅ…表示制御プロクラム
１２ｅ１…文字列表示制御プログラム
１２ｅ２…輪郭表示制御プログラム
１２ｅ３…濃さ表示制御プログラム
１２ｅ４…単語帳表示制御プログラム
１３  …外部記憶媒体
１４  …記憶媒体読み書き部
１５  …通信制御部
１６  …作業領域
１６ａ…単語毎発音回数メモリ
１６ｂ…単語帳登録発音回数設定メモリ
１６ｃ…発音速度設定メモリ
１７  …入力部
１７ａ…辞書コンテンツキー
１７ｂ…文字入力キー
１７ｃ…訳／決定キー
１７ｄ…音声キー
１７ｅ…タッチパネル（表示部一体）
１８  …表示部
１９  …音声出力部
２０  …Ｗｅｂサーバ
Ｎ    …通信ネットワーク（インターネット）
Ｇ    …辞書情報表示画面
Ｐ    …タッチペン
Ｂ    …輪郭
Ｃ，Ｃ’，Ｃ’’…着色表示
Ｘ    …ドラッグ操作
Ｍ    …単語帳登録メッセージ画面
【図１】
2010085727.tif 000003
【図２】
2010085727.tif 000004
【図３】
2010085727.tif 000005
【図４】
2010085727.tif 000006
【図５】
2010085727.tif 000007
【図６】
2010085727.tif 000008
【図７】
2010085727.tif 000009